(57)【要約】【課題】ディスク等への記録動作に起因する表面の傷や圧接痕等を抑制する記録装置。【解決手段】インクを吐出する記録ヘッドを用いて記録を行う記録装置であって、搬送ローラと複数の従動ローラとを備え、搬送ローラと従動ローラとの間の被搬送媒体を搬送する搬送手段と、複数の従動ローラを搬送ローラに対して押圧する押圧手段と、押圧手段の押圧／非押圧を複数の従動ローラのそれぞれについて設定することのできる押圧設定手段と、を備え、押圧設定手段は、記録領域と非記録領域とを有する被搬送媒体を搬送手段によって搬送して記録ヘッドを用いて被搬送媒体に記録する際は、記録領域と対向する複数の従動ローラについて非押圧状態に保持する記録装置。【選択図】図５
2012236352.tif 000002
【特許請求の範囲】
【請求項１】
インクを吐出する記録ヘッドを用いて記録を行う記録装置であって、
搬送ローラと複数の従動ローラとを備え、搬送ローラと従動ローラとの間の被搬送媒体を搬送する搬送手段と、
前記複数の従動ローラを前記搬送ローラに対して押圧する押圧手段と、
前記押圧手段の押圧／非押圧を前記複数の従動ローラのそれぞれについて設定することのできる押圧設定手段と、
を備え、
前記押圧設定手段は、記録領域と非記録領域とを有する前記被搬送媒体を前記搬送手段によって搬送して記録ヘッドを用いて前記被搬送媒体に記録する際は、前記記録領域と対向する前記複数の従動ローラについて非押圧状態に保持することを特徴とする記録装置。
【請求項２】
前記押圧手段は、複数の領域に分割された従動ローラホルダを備え、
前記押圧設定手段は、前記複数の領域のそれぞれについての押圧／非押圧を設定する複数のカムであり、前記複数のカムは、前記搬送ローラと平行に配設されたシャフトに位相を異として回動可能に支持されていることを特徴とする請求項１に記載の記録装置。
【請求項３】
前記被搬送媒体を搬送して記録ヘッドを用いて記録する際は、前記非記録領域と対向する前記複数の従動ローラについて押圧状態に保持することを特徴とする請求項１または２に記載の記録装置。
【請求項４】
前記被搬送媒体を記録時の搬送方向とは逆方向に搬送する際は、前記被搬送媒体と対向する前記複数の従動ローラの全てについて非押圧状態に保持することを特徴とする請求項１から３のいずれか一項に記載の記録装置。
【請求項５】
前記被搬送媒体は、専用の搬送トレイに載置されたディスクであり、前記ディスクは記録領域を有することを特徴とする請求項１から４のいずれか一項に記載の記録装置。
【請求項６】
前記被搬送媒体は、厚紙であることを特徴とする請求項１から４のいずれか一項に記載の記録装置。
【請求項７】
搬送ローラと複数の従動ローラとを備え、搬送ローラと従動ローラとの間の被搬送媒体を搬送する搬送手段と、
前記複数の従動ローラを前記搬送ローラに対して押圧する押圧手段と、
前記押圧手段の押圧／非押圧を前記複数の従動ローラのそれぞれについて設定することのできる押圧設定手段と、
を備え、インクを吐出する記録ヘッドを用いて記録を行う記録装置による記録方法であって、
記録領域と非記録領域とを有する前記被搬送媒体を前記搬送手段によって搬送する工程と、
記録ヘッドを用いて前記被搬送媒体に記録する工程と、
を含み、ここで、前記押圧設定手段は、前記各工程の間、前記記録領域と対向する前記複数の従動ローラについて非押圧状態に保持することを特徴とする記録方法。
【発明の詳細な説明】
【技術分野】
【０００１】
本発明は、被搬送媒体を搬送するためのローラ対によってディスク等の記録媒体における傷や圧接痕等が生じることを防止可能な記録装置に関する。
【背景技術】
【０００２】
インクジェット記録装置等の記録装置では一般的な単票用紙の他に、CD、DVD、BD等の光ディスクや磁気ディスク（以下「ディスク」と総称する）へ記録を行うために、ディスクを搭載して記録装置内へ搬送する搬送トレイが別途準備されていることがある。このような搬送トレイを用いた記録ではディスクを単票用紙とは異なる経路で記録装置内へと搬送する。例えば、ディスクを戴置した搬送トレイを記録装置の前面の排紙側から通紙面に概ね水平に挿入し、記録装置の排出手段および搬送手段を記録時とは逆方向に駆動することによって、搬送トレイを単票用紙の搬送方向とは逆方向に記録装置の後部まで搬送する。そして、搬送手段により単票用紙の記録の場合と同じ搬送方向に搬送トレイを搬送しながら記録を行い、記録が終了すると排出手段により記録装置の前面の排紙側から搬送トレイを排出する。このような構成において、搬送トレイを挿入する際に、ディスクの記録領域に排出手段の歯付きローラが容易に接触しない構成を採っている記録装置がある（特許文献１参照）。これにより、歯付きローラによってディスクが損傷することを防止できる。
【先行技術文献】
【特許文献】
【０００３】
【特許文献１】特開２００３−２１１７５７号公報
【発明の概要】
【発明が解決しようとする課題】
【０００４】
しかしながら、特許文献１に記載の構成では、排出手段の歯付きローラによる傷等は防止できるものの、被搬送媒体の搬送に係るローラ対がディスク等の記録媒体の記録領域に接触して傷等が生じることを全て防止できるものではない。例えば、搬送ローラに対して被搬送媒体を押圧する従動ローラなどは、単票用紙など紙の記録媒体を搬送する際に均一な搬送力を作用させるために、比較的高密度で配置される必要がある。このため、搬送トレイ上のディスクを避けた位置になるように従動ローラを配置して従動ローラがディスクに接触しないようにすることは、困難である。
【０００５】
本発明の目的は、ディスク等の記録媒体に記録を行う際に、従動ローラなどの被搬送媒体を搬送ローラに押圧するローラが高密度で配されている場合でも、搬送によってディスク等の記録媒体に損傷を与えないようにすることが可能な記録装置を提供することである。
【課題を解決するための手段】
【０００６】
上記課題を解決するための、本発明の記録装置は、インクを吐出する記録ヘッドを用いて記録を行う記録装置であって、搬送ローラと複数の従動ローラとを備え、搬送ローラと従動ローラとの間の被搬送媒体を搬送する搬送手段と、複数の従動ローラを搬送ローラに対して押圧する押圧手段と、押圧手段の押圧／非押圧を複数の従動ローラのそれぞれについて設定することのできる押圧設定手段と、を備え、押圧設定手段は、記録領域と非記録領域とを有する被搬送媒体を搬送手段によって搬送して記録ヘッドを用いて被搬送媒体に記録する際は、記録領域と対向する複数の従動ローラについて非押圧状態に保持することを特徴とする。
【発明の効果】
【０００７】
本発明によれば、ディスクや厚紙等の被搬送媒体の搬送および記録の際の押圧手段による押圧／非押圧を設定することによって、従動ローラがディスク表面を押圧することによるディスク表面への傷や圧接痕等が抑制可能となる。本発明の押圧設定手段は、トレイ搬送時にディスクと対向する領域の複数の従動ローラを非押圧状態とし、搬送方向と直交する方向におけるディスクの両端外側に位置するトレイの領域と対向する領域の複数の従動ローラを押圧状態とすることができる。
【図面の簡単な説明】
【０００８】
【図１】搬送トレイを使用する記録装置の構成を示す斜視図である。
【図２】（ａ）および（ｂ）は、搬送トレイを使用する記録装置において被搬送媒体挿入時のガイドの構成を示す側断面図である。
【図３】搬送トレイの斜視図である。
【図４】（ａ）および（ｂ）は、搬送トレイを記録装置にセットしたときの搬送ユニットを示す側断面図である。
【図５】（ａ）および（ｂ）は、本発明による実施例１における押圧設定手段を示す斜視図である。
【図６】本発明による実施例１におけるディスク記録処理工程を示すフロー図である。
【図７】（ａ）および（ｂ）は、本発明による実施例１における押圧設定手段を示す側断面図である。
【図８】（ａ）および（ｂ）は、本発明による実施例２における押圧設定手段を示す斜視図である。
【図９】（ａ）から（ｃ）は、本発明による実施例３における押圧設定手段を示す斜視図である。
【図１０】（ａ）から（ｃ）は、本発明による実施例３における押圧設定手段を示す側断面図である。
【図１１】本発明による実施例３におけるディスク記録処理工程を示すフロー図である。
【発明を実施するための形態】
【実施例１】
【０００９】
本発明による実施例１について説明する。
【００１０】
なお、本発明の実施例１であるインクジェット記録装置は、複写機、ファクシミリ等にも適用することができ、ＰＣ用記録装置のみに適用されることに限定されるものではない。
【００１１】
図１は、搬送トレイ１を使用してディスク等の記録媒体へ記録可能な記録装置本体１００を示す斜視図である。図４は、記録装置内の搬送トレイ１を含む搬送ユニットを示す断面図である。記録装置本体１００は下ケース１０１、上ケース１０２、アクセスカバー１０３、給紙カバーユニット２００、排紙トレイユニット３００、操作部４００等の外装部材から構成されている。給紙カバーユニット２００は給紙トレイ２０１と給紙サブトレイ２０２、２０３とから構成されている。給紙トレイ２０１はその１つの端部を中心として上ケース１０２に対して回転自在に設けられている。また、給紙サブトレイ２０２は給紙トレイ２０１に対して回転自在に、また給紙サブトレイ２０３は給紙サブトレイ２０２に対してスライドして収納されるように設けられている。これら給紙サブトレイ２０２、２０３は単票用紙１０５の長さに応じて回転またはスライドして伸長することにより、単票用紙１０５の支持長さを三段階に拡大することができ、様々な長さの単票用紙１０５を確実に積載可能としている。単票用紙１０５は、通常、給紙開口部１０６から給紙ローラ（図示せず）によって一枚ずつ搬送され、記録装置本体１００内部に内蔵されている記録ヘッド１１７のインク吐出口に対向する位置へと搬送が行われる。この位置への搬送は、搬送ローラ１１４と複数の従動ローラ１１５とからなる搬送ローラ対によって単票用紙１０５を挟持し、搬送ローラ１１４を回転させることによって行われる。この搬送ローラ対は従動ローラ１１５を搬送ローラ１１４に押圧することが可能となっている。単票用紙１０５の搬送は、全ての従動ローラ１１５は押圧状態で行われる。記録ヘッド１１７により記録された単票用紙１０５は排紙開口部１０７から記録装置本体１００の外部へ搬出され、排紙トレイユニット３００上に順次積載される。排紙トレイユニット３００は下ケース１０１に対して回転可能な函体を形成する排紙トレイケース３０１および排紙トレイカバー３０２と、この函体内にスライドして収納される排紙サブトレイ３０３、３０４、３０５とから構成されている。ここで排紙サブトレイ３０３は排紙トレイケース３０１と排紙トレイカバー３０２とから成る函体に対して、排紙サブトレイ３０４は排紙サブトレイ３０３に対して、また排紙サブトレイ３０５は排紙サブトレイ３０４に対してそれぞれスライド可能に設けられている。これら排紙サブトレイ３０３、３０４、３０５も前記給紙トレイ部２００と同様、単票用紙１０５の長さに応じて個々をスライドさせて引き出すことで、単票用紙１０５の支持長さを四段階に拡大でき、様々な長さの単票用紙１０５を確実に積載可能としている。これら排紙サブトレイ３０３、３０４、３０５は引き出した状態においてその上面が排紙トレイカバー３０２の上面と概ね平行になるように形成されている。アクセスカバー１０３はその１つの端部を中心として上ケース１０２に対して回転自在に設けられ、その回転によって記録装置本体１００の上面に設けられた開口部（図示せず）を開閉できるようになっている。このアクセスカバー１０３を開くことにより、記録装置本体１００内部に収納されている記録ヘッド１１７やインクタンク（図示せず）等の交換が可能となる。操作部４００には電源キー４０１、レジュームキー４０２が押下可能に設けられ、記録装置本体１００内に配置された操作基板（図示せず）上のスイッチの入力が可能となっている。また、点灯、点滅により記録装置本体１００の様々な状態をユーザーに対して知らせる表示機能を備えるＬＥＤ（発光ダイオード）が操作基板上に設けられており、ＬＥＤの光を導き拡散させるためのライトガイド４０３が操作部４００に設けられている。
【００１２】
ディスク５への記録は、専用の搬送トレイ１にディスク５を載置して搬送できるような構成をとって行う。ディスク５は、その硬度および形状等から、一般的な単票用紙と同一の搬送経路を同一の搬送方向（矢印β、第１搬送方向）に搬送して記録を行うことが困難である。そこで、単票用紙１０５に記録を行う際の搬送方向とは逆方向である排紙トレイユニット３００側から矢印α方向に搬送トレイ１を挿入して、記録開始のための所定位置まで搬送し、その後通常の第１搬送方向（矢印β方向）に搬送トレイ１を搬送して記録を行う。ここで、記録ヘッド１１７は搬送トレイ１の上方の位置にキャリッジで支持されており、キャリッジを第１搬送方向と直交する方向に往復移動させながら記録ヘッド１１７のインク吐出口からインクを吐出させて記録を行う。しかし、記録ヘッド１１７の方式はこれに限られず、いわゆるフルライン式の記録ヘッドであってもよい。
【００１３】
図２（ａ）および（ｂ）はそれぞれトレイベースレバー１０４の操作前および操作後を示す側断面図である。ディスク５への記録を行うに際して、トレイベースレバー１０４を矢印１１０方向に回転させることにより、トレイベース１０８がトレイベースレバー１０４に追従して例えばガイド溝に沿って回転する。これによって通紙面１１１とトレイベース１０８のガイド面１０８ａとが同一面となり、トレイベース１０８をガイドとして搬送トレイ１を挿入することが可能となる。またトレイベースレバー１０４が回転することで、搬送トレイ１の挿入口１０４ａが表れる。そして、搬送トレイ１を挿入口１０４ａから矢印α方向に挿入することができる。
【００１４】
図３は搬送トレイ１を示す斜視図であり、ディスク５を搭載する面および記録領域を示している。矢印αは搬送トレイ１の記録装置本体への挿入方向である。搬送トレイ１の挿入側先端１ａは傾斜しており、搬送ローラ１１４と従動ローラ１１５とのニップ部への進入時のガイド部として作用するものである。搬送トレイ１の上面１ｂには、ディスク５を搭載するための円形の凹形状部１ｃが設けられていて、凹形状部１ｃの外周部１ｄは、搬送トレイ１の挿入側先端部１ａからの最短距離が距離Ｘであるように配置されている。凹形状部１ｃに搭載されるディスク５の上面が、記録装置による記録の対象である記録領域となる。なお、搬送トレイ１の上面１ｂの、ディスク５が搭載される凹形状部１ｃの外側の領域が、非記録領域となる。
【００１５】
図４（ａ）および（ｂ）はそれぞれ記録開始前の搬送トレイ１挿入の段階および記録終了直前の段階の搬送トレイ１の位置を示す側断面図である。矢印αは搬送トレイ１の挿入方向、矢印βは搬送トレイ１の排出方向を示す。図４（ａ）の状態では搬送トレイ１は先端部１ａが搬送ローラ１１４と従動ローラ１１５とから一定距離Ａだけ離れた搬送トレイ挿入のための所定位置にセットされる。コロ３０７は搬送トレイ１の上面１ｂに圧接され、搬送トレイ１を排紙ローラ１１２、１１３へ付勢する。この状態から排紙ローラ１１２、１１３を矢印１１８方向に回転させ、搬送トレイ１を矢印α方向（第２搬送方向）に搬送して、記録装置内の記録開始のための所定位置まで移動させる。ここで、コロ３０７は、搬送トレイ１が搬送されても、ディスク５上面の記録領域に触れない位置に配設されている。図４（ｂ）で、記録作業は、搬送ローラ１１４により搬送トレイ１を記録開始のための所定位置から矢印β方向（第１搬送方向）に搬送し、記録ヘッド１１７を第１搬送方向と直交する方向に往復運動させてディスク５の記録領域にインクを吐出して行う。
【００１６】
図５（ａ）および（ｂ）は本発明の押圧設定手段を示した斜視図であり、それぞれ全押圧状態および部分的押圧状態に押圧／非押圧を設定した様子を表している。そして、図６は実施例１におけるディスク５への記録処理工程のフローの１つの例を示している。ここで、従動ローラ１１５（図７（ａ）、（ｂ）参照）は、複数の領域に分割された従動ローラホルダ１１６の各領域に２個あるいは３個一組で回転自在に取り付けられているが、本発明で従動ローラ１１５の個数はこれに限定されない。単票用紙１０５への記録時には、押圧手段により全ての従動ローラ１１５が押圧されている図５（ａ）の全押圧状態を保ち、搬送ローラ１１４によって矢印β方向へ単票用紙１０５の搬送を行い記録する。続いて、ディスク５への記録時の動作を説明する。尚、動作開始時において搬送トレイ１挿入口は開口しており、搬送トレイ１を記録装置内へ挿入可能な図２（ｂ）の状態になっているものとする。図６のステップＡ１で、図５（ａ）の状態を保持し、ディスク５を戴置した搬送トレイ１を手動で搬送トレイ挿入のための所定位置へセットする。ステップＡ２で、押圧設定手段により、図５（ｂ）の部分的押圧状態に押圧手段を設定する。具体的には、ディスク５の上面に対向する位置となる複数の従動ローラ１１５を非押圧とし、搬送トレイ１の上面１ｂの搬送方向と直交する方向におけるディスク５の両外側に位置する非記録領域に配置される複数の従動ローラ１１５を押圧とする。そして、排紙ローラ１１２および１１３で搬送トレイ１を搬送ローラ１１４と従動ローラ１１５との間のニップ部へ送り込む。このとき、搬送トレイ１は傾斜した先端部１ａにガイドされて、ニップ部へ進入できるようになっている。ステップＡ３で、図５（ｂ）の部分的押圧状態を保持しながら、搬送ローラ１１４によって矢印αで示す第２搬送方向へ搬送トレイ１の搬送を行う。ステップＡ４で、搬送トレイ１を記録開始のための所定位置まで引き込んだ後、搬送ローラ１１４により矢印βで示す第１搬送方向へ搬送する。ステップＡ５で、記録ヘッド１１７からインクを吐出してディスク５に記録を行う。
【００１７】
図７（ａ）および（ｂ）は、押圧設定手段によって、従動ローラ１１５を搬送ローラ１１４に対して押圧状態および非押圧状態とした時のカム１２０、１２１位置での側断面図を示す。これらはそれぞれ図５（ａ）および（ｂ）の各状態での側断面図に相当する。図７（ａ）は全押圧状態、図７（ｂ）は部分的押圧状態にあるときの従動ローラホルダ１１６のポジションをそれぞれ示している。従動ローラホルダ１１６は、ばね（図示せず）によって矢印１２２の方向に付勢されることで従動ローラ１１５を搬送ローラ１１４に押圧することができる。ばねは、複数の領域に分割された従動ローラホルダ１１６の各領域に対して配設されており、従動ローラホルダ１１６の全ての領域は矢印１２２方向に付勢されている。また、従動ローラホルダ１１６は領域毎に押圧および非押圧のポジションを設定することができる。具体的には、従動ローラホルダカム１２０と１２１とでカムの位相を変えることで、図７（ｂ）に示すように従動ローラ１１５をそれぞれ押圧および非押圧の状態に設定することができる。従動ローラホルダカム１２０、１２１は、従動ローラと略平行に配設された回動可能なカムシャフト１１９に圧入されており、従動ローラホルダカム１２０、１２１の制御によって、全押圧状態および部分的押圧状態を保持できるようになっている。
【００１８】
以上の構成により、本発明によれば、ディスク５へ記録を行う際に、従動ローラ１１５を部分的押圧状態にすることができる。すなわち、搬送トレイ１の搬送方向に直交する方向の両端の非記録領域に対向する従動ローラ１１５を押圧状態にしたまま、ディスク５上面の記録領域に対向する従動ローラホルダ１１６の領域の従動ローラ１１５を非押圧状態にすることができる。これにより、搬送トレイ１の搬送を可能としたまま、ディスク５の記録領域上を従動ローラ１１５が通過することを防止することができ、ディスク５の記録領域上の傷や圧接痕の発生を抑制可能なインクジェット記録装置を提供できる。
【００１９】
なお、単票用紙１０５への記録時には、従動ローラホルダ１１６は従動ローラ１１５を搬送ローラ１１４に押圧するポジションを保持して幅方向に作用する均一な搬送力を保証して、本発明の構成が単票用紙１０５の搬送に影響しないように配慮されている。
【実施例２】
【００２０】
本発明による実施例２について説明する。
【００２１】
図８（ａ）および（ｂ）は、それぞれ記録領域と非記録領域とを有する２種類の幅の被搬送媒体の搬送状態を示している。本実施例において、被搬送媒体は厚紙であり、図８（ａ）は幅の狭い厚紙１２５の搬送状態、図８（ｂ）は幅の広い厚紙１２５の搬送状態を示している。実施例１の記録装置を、図８（ａ）のように、厚紙１２５の記録領域に対応する従動ローラホルダ１１６の領域の従動ローラ１１５を非押圧状態にし、非記録領域１２６のみを従動ローラ１１５と搬送ローラ１１４とで挟持して搬送するような構成にも適用できる。ここでは、実施例１の搬送トレイ１を使用せずに、厚紙１２５を直接的に記録装置に挿入し搬送する。この構成によれば、表面の傷つきやすい厚紙１２５に対しても、表面の傷や圧接痕の発生の防止が可能となる。また、図８（ｂ）のように、従動ローラカム１２１に加えてさらに従動ローラカム１２７を制御して各従動ローラ１１５の押圧／非押圧を設定する構成として、実施例１とは別の部分的押圧状態ポジションを採用することができる。この構成によれば、幅の広い被搬送媒体にも同様の表面傷つき防止効果を得ることができる。
【実施例３】
【００２２】
本発明による実施例３について説明する。
【００２３】
図９（ａ）および（ｃ）はそれぞれ、実施例１における従動ローラホルダ１１６の全押圧状態および部分的押圧状態のポジションを示し、図９（ｂ）は、新たな、全非押圧状態のポジションを示している。図１０（ａ）から（ｃ）は、押圧設定手段によって、従動ローラ１１５を搬送ローラ１１４に対して押圧または非押圧状態とした時のカム１２８、１２９位置での側断面図を示す。これらはそれぞれ図９（ａ）から（ｃ）の各状態の側断面図に相当し、具体的には、図１０（ａ）は全押圧状態、図１０（ｂ）は全非押圧状態、図１０（ｃ）は部分的押圧状態における側断面図を示している。そして、図１１は実施例３におけるディスク５への記録処理工程のフローの１つの例を示している。実施例１の記録装置において、全非押圧状態のポジションを追加し、従動ローラホルダ１１６の３つのポジションを持つようにする。これらのポジションは実施例１と同様にカムで制御する。ここで、ディスク５への記録時の動作を説明する。尚、動作開始時において搬送トレイ１挿入口は開口しており、搬送トレイ１が挿入可能な図２（ｂ）の状態になっているものとする。図１１のステップＢ１で図９（ａ）の従動ローラホルダ１１６の全押圧状態のポジションを保持しつつ、手動で搬送トレイ１を搬送トレイ挿入のための所定位置へセットする。そして、ステップＢ２で、押圧設定手段により、従動ローラホルダ１１６のポジションを図９（ｂ）の全非押圧状態のポジションに設定する。ステップＢ３で図９（ｂ）の状態を保持しながら、排紙ローラ１１２、１１３によって搬送トレイ１を矢印α方向（第２搬送方向）へ搬送する。ステップＢ４で搬送トレイ１を先端部１ａが搬送ローラ１１４を通過した搬送トレイかみこみのための所定位置まで搬送し、次いで押圧設定手段により従動ローラホルダ１１６のポジションを図９（ｃ）の部分的押圧状態のポジションに設定する。ステップＢ５で図９（ｃ）の状態を保持しながら、搬送トレイ１を矢印α方向（第２搬送方向）へさらに搬送する。ステップＢ６で、搬送トレイ１を、記録開始のための所定位置まで引き込んでから、搬送ローラ１１４により矢印β方向（第１搬送方向）へ搬送する。最後に、ステップＢ７で記録ヘッド１１７からインクを吐出してディスク５に記録を行う。以上、図９（ｂ）の全非押圧状態を設けることでステップＢ２およびＢ３の動作が加わり、搬送トレイ１を矢印α方向（第２搬送方向）へ挿入する時にトレイの先端部１ａに頼らずに所定位置にセットできる。この構成によれば、搬送トレイ１を、搬送ローラ１１４と従動ローラ１１５とのニップに確実にかみこんで、搬送することができる。
【符号の説明】
【００２４】
１  搬送トレイ
１ａ  先端部
５  ディスク
１１２、１１３  排紙ローラ
１１４  搬送ローラ
１１６  従動ローラホルダ
１１９  シャフト
１２０、１２１  従動ローラカム
α  第２搬送方向
β  第１搬送方向
【図１】
2012236352.tif 000003
【図２】
2012236352.tif 000004
【図３】
2012236352.tif 000005
【図４】
2012236352.tif 000006
【図５】
2012236352.tif 000007
【図６】
2012236352.tif 000008
【図７】
2012236352.tif 000009
【図８】
2012236352.tif 000010
【図９】
2012236352.tif 000011
【図１０】
2012236352.tif 000012
【図１１】
2012236352.tif 000013